(57)【要約】【課題】自分のサイトにアクセスしてきたユーザが自分と一定の関係にあるかないかを、ＳＮＳ上のサイトを管理するユーザがただちに知ることができるようにする。【解決手段】ＳＮＳサーバ１００は、ユーザＡとユーザＢの双方の友達管理テーブル５１およびコミュニティ管理テーブル５３に基づき、両者の関係を特定する。ＳＮＳサーバ１００は、ユーザＡのクライアント２００ａから送られてきたユーザＡのユーザＩＤに基づいて、足あと管理テーブル５２に格納されている、ユーザＡのユーザＩＤに対応した「日時」・「訪問者ユーザＩＤ」・「関係」・「アクセス元」の各項目をアクセス日時順に記述したＷｅｂページ（足あとページ）に構成した上、この足あとページをクライアント２００ａに送信する。【選択図】  図９
2007328538.tif 000002
【特許請求の範囲】
【請求項１】
各端末のユーザに対し、ネットワークを介してソーシャルネットワークサービスを提供するソーシャルネットワークサービスシステムで用いられるアクセス履歴提供装置であって、
各端末のユーザの識別情報およびユーザのプロフィール情報を記憶するユーザ情報記憶部と、
前記ユーザ情報記憶部に記憶されたユーザ同士の関係を規定する関係情報を記憶する関係記憶部と、
不特定のユーザである第１のユーザの端末がある特定のユーザである第２のユーザの管理するサイトにアクセスしてきたことに応じ、前記第２のユーザのサイトに対する前記第１のユーザのアクセスの履歴を記憶する履歴記憶部と、
前記第１のユーザが前記第２のユーザの管理するサイトにアクセスしてきたことに応じ、前記関係記憶部に記憶された関係情報に従って前記第１のユーザと前記第２のユーザの関係を特定する関係特定部と、
前記第１のユーザによる前記第２のユーザのサイトへのアクセスの履歴と、前記第１のユーザと前記第２のユーザの関係を示す情報とを対応づけて表示するアクセス履歴情報を作成する履歴情報作成部と、
前記第２のユーザの端末からの要求に応じ、前記履歴情報作成部の作成したアクセス履歴情報を前記第２のユーザの端末に提供する履歴提供部と、
を備えるアクセス履歴提供装置。
【請求項２】
前記履歴情報作成部は、前記第１のユーザと前記第２のユーザの関係を表象するアイコンを前記アクセスの履歴に対応づけて表示するアクセス履歴情報を作成する請求項１に記載のアクセス履歴提供装置。
【請求項３】
前記履歴記憶部は、前記第１のユーザが前記第２のユーザのサイトにアクセスするために経由したサイトである経由サイトのアクセス履歴をさらに記憶し、
前記履歴情報作成部は、前記関係特定部が前記関係情報によって特定した前記第１のユーザと前記第２のユーザの関係が所定の関係でないと判断したことに応じ、前記第１のユーザの経由サイトの種類を示す情報を前記アクセスの履歴に対応づけて表示するアクセス履歴情報を作成する請求項１または２に記載のアクセス履歴提供装置。
【請求項４】
前記履歴記憶部は、前記経由サイトに検索ページが含まれていると判断したことに応じ、前記検索ページで入力された検索キーワードの履歴をさらに記憶し、
前記履歴情報作成部は、前記経由サイトに検索ページが含まれていると判断したことに応じ、前記経由サイトの種類が検索ページであることおよび前記検索ページで入力された検索キーワードを示す情報を前記アクセスの履歴に対応づけて表示するアクセス履歴情報を作成する請求項３に記載のアクセス履歴提供装置。
【請求項５】
前記アクセス履歴提供部は、前記関係特定部が前記関係情報によって特定した前記第１のユーザと前記第２のユーザの関係が所定の関係でないと判断したことに応じ、前記ユーザ情報記憶部に記憶された前記第１のユーザのプロフィール情報の全部または一部を前記アクセスの履歴に対応づけて表示するアクセス履歴情報を作成する請求項１〜４のいずれかに記載のアクセス履歴提供装置。
【請求項６】
前記関係記憶部は、前記ソーシャルネットワークサービスにおけるユーザ同士の友達関係を規定する関係情報、前記ユーザの間で共通して友達関係にあるユーザを規定する関係情報または前記ソーシャルネットワークサービスにおいてユーザ同士が共通して所属するコミュニティの情報を規定する関係情報のうち少なくとも１つを含む請求項１〜５のいずれかの記載のアクセス履歴提供装置。
【請求項７】
各端末のユーザに対し、ネットワークを介してソーシャルネットワークサービスを提供するソーシャルネットワークサービスシステムで用いられるアクセス履歴提供方法であって、
各端末のユーザの識別情報およびユーザのプロフィール情報を記憶するステップと、
前記ユーザ情報記憶部に記憶されたユーザ同士の関係を規定する関係情報を記憶するステップと、
不特定のユーザである第１のユーザの端末がある特定のユーザである第２のユーザの管理するサイトにアクセスしてきたことに応じ、前記第２のユーザのサイトに対する前記第１のユーザのアクセスの履歴を記憶するステップと、
前記第１のユーザが前記第２のユーザの管理するサイトにアクセスしてきたことに応じ、記憶された関係情報に従って前記第１のユーザと前記第２のユーザの関係を特定するステップと、
前記第１のユーザによる前記第２のユーザのサイトへのアクセスの履歴と、前記第１のユーザと前記第２のユーザの関係を示す情報とを対応づけて表示するアクセス履歴情報を作成するステップと、
前記第２のユーザの端末からの要求に応じ、作成したアクセス履歴情報を前記第２のユーザの端末に提供するステップと、
を含むアクセス履歴提供方法。
【請求項８】
請求項７に記載のアクセス履歴提供方法をコンピュータに実行させるためのプログラム。
【発明の詳細な説明】
【技術分野】
【０００１】
本発明はソーシャルネットワークサービスにおいてあるユーザの管理するサイトへのアクセス履歴に関する情報を提供する技術に関する。
【背景技術】
【０００２】
近年、ソーシャルネットワークサービス（ＳＮＳ）と呼ばれるサービスが普及している。ＳＮＳとは、参加者が互いに友人を紹介しあって、新たな友人関係を広げることを目的に開設されたＷｅｂサイトである。ＳＮＳには同じ関心や興味を持つユーザが集まるコミュニティというグループを形成し、コミュニティのＷｅｂサイトでは、コミュニティのメンバーが互いに共通の話題について情報交換し情報共有する。
【０００３】
特許文献１はＷｅｂサイトでのアクセス解析技術の一例である。ここでは、Ｗｅｂサーバのアクセス解析の粒度を、クライアントごとのアクセス頻度に応じて決める。また、クライアントの表示能力に応じて、解析結果の出力方法を変える。
【特許文献１】特開２０００−３１１１２４号公報
【発明の開示】
【発明が解決しようとする課題】
【０００４】
従来のＳＮＳにおいて、自分のページへアクセスしたユーザを履歴表示する、「足あと」機能がある。しかし、従来の足あと機能では、アクセスしてきたユーザが自分とどのような関係を有しているのかは、自分がよく知っている者でない場合は、そのユーザのプロフィールなどを調べなければ分からない。また、自分が友達として登録しているユーザや同じコミュニティに所属するユーザなど一定の関係にあるユーザ以外のユーザがアクセスして来た場合、どうやって自分のページへたどりついたのかを知りたくても分からない。
【０００５】
本発明はこのような問題点に鑑みてなされたもので、自分のサイトにアクセスしてきたユーザが自分と一定の関係にあるかないか、自分と一定の関係にないとすれば、そのユーザがどうやって自分のページにたどり着いたのか、あるいは自分と一定の関係にないそのユーザはどのようなプロフィールなのかを、ＳＮＳ上のサイトを管理するユーザがただちに知ることができるようにすることを目的とする。
【課題を解決するための手段】
【０００６】
本発明は、各端末のユーザに対し、ネットワークを介してソーシャルネットワークサービスを提供するソーシャルネットワークサービスシステムで用いられるアクセス履歴提供装置に関する。
【０００７】
この装置は、各端末のユーザの識別情報およびユーザのプロフィール情報を記憶するユーザ情報記憶部と、ユーザ情報記憶部に記憶されたユーザ同士の関係を規定する関係情報を記憶する関係記憶部と、不特定のユーザである第１のユーザの端末がある特定のユーザである第２のユーザの管理するサイトにアクセスしてきたことに応じ、第２のユーザのサイトに対する第１のユーザのアクセスの履歴を記憶する履歴記憶部と、第１のユーザが第２のユーザの管理するサイトにアクセスしてきたことに応じ、関係記憶部に記憶された関係情報に従って第１のユーザと第２のユーザの関係を特定する関係特定部と、第１のユーザによる第２のユーザのサイトへのアクセスの履歴と、第１のユーザと第２のユーザの関係を示す情報とを対応づけて表示するアクセス履歴情報を作成する履歴情報作成部と、第２のユーザの端末からの要求に応じ、履歴情報作成部の作成したアクセス履歴情報を第２のユーザの端末に提供する履歴提供部と、を備える。
【０００８】
この発明によると、第１のユーザによるアクセスの履歴および第１のユーザと第２のユーザの関係を示すアクセス履歴情報が第２のユーザの端末に提供される。
【０００９】
第２のユーザは、アクセス履歴情報を参照し、自分のサイトにアクセスしてきたユーザが、自分とどのような関係を持つ者であるかを容易に知ることができる。
【００１０】
履歴情報作成部は、第１のユーザと第２のユーザの関係を表象するアイコンをアクセスの履歴に対応づけて表示するアクセス履歴情報を作成すると、さらに第２のユーザが第１のユーザとの関係を容易に知ることができる。
【００１１】
履歴記憶部は、第１のユーザが第２のユーザのサイトにアクセスするために経由したサイトである経由サイトのアクセス履歴をさらに記憶し、履歴情報作成部は、関係特定部が関係情報によって特定した第１のユーザと第２のユーザの関係が所定の関係でないと判断したことに応じ、第１のユーザの経由サイトの種類を示す情報をアクセスの履歴に対応づけて表示するアクセス履歴情報を作成するとよい。
【００１２】
第１のユーザと第２のユーザの関係が所定の関係（例えば共通のコミュニティに所属している、友達関係にある、あるいは共通の友達を有する）にない場合、アクセス履歴情報は、第２のユーザのサイトにアクセスするのに第１のユーザが経由してきたサイトを示す。このため、第２のユーザは、自分と一定の関係のない見知らぬ第１のユーザが一体どのようにして自分のサイトにアクセスしてきたのかを知ることができる。
【００１３】
履歴記憶部は、経由サイトに検索ページが含まれていると判断したことに応じ、検索ページで入力された検索キーワードの履歴をさらに記憶し、履歴情報作成部は、経由サイトに検索ページが含まれていると判断したことに応じ、経由サイトの種類が検索ページであることおよび検索ページで入力された検索キーワードを示す情報をアクセスの履歴に対応づけて表示するアクセス履歴情報を作成するとよい。
【００１４】
こうすると、第２のユーザは、検索ページから第１のユーザがどのようなキーワードを指定して第２のユーザのサイトを探し出してアクセスしてきたかが分かる。
【００１５】
アクセス履歴提供部は、関係特定部が関係情報によって特定した第１のユーザと第２のユーザの関係が所定の関係でないと判断したことに応じ、ユーザ情報記憶部に記憶された第１のユーザのプロフィール情報の全部または一部をアクセスの履歴に対応づけて表示するアクセス履歴情報を作成してもよい。
【００１６】
こうすると、第２のユーザのページにアクセスしてきた第１のユーザが自分と所定の関係にないときは、第１のユーザのプロフィールが示されるから、第１のユーザのプロフィールを紹介するページにまで遷移しなくて済む。
【００１７】
なお、関係記憶部は、ソーシャルネットワークサービスにおけるユーザ同士の友達関係を規定する関係情報、ユーザの間で共通して友達関係にあるユーザを規定する関係情報またはソーシャルネットワークサービスにおいてユーザ同士が共通して所属するコミュニティの情報を規定する関係情報のうち少なくとも１つを含む。
【００１８】
本発明は、各端末のユーザに対し、ネットワークを介してソーシャルネットワークサービスを提供するソーシャルネットワークサービスシステムで用いられるアクセス履歴提供方法に関する。
【００１９】
この方法は、各端末のユーザの識別情報およびユーザのプロフィール情報を記憶するステップと、ユーザ情報記憶部に記憶されたユーザ同士の関係を規定する関係情報を記憶するステップと、不特定のユーザである第１のユーザの端末がある特定のユーザである第２のユーザの管理するサイトにアクセスしてきたことに応じ、第２のユーザのサイトに対する第１のユーザのアクセスの履歴を記憶するステップと、第１のユーザが第２のユーザの管理するサイトにアクセスしてきたことに応じ、記憶された関係情報に従って第１のユーザと第２のユーザの関係を特定するステップと、第１のユーザによる第２のユーザのサイトへのアクセスの履歴と、第１のユーザと第２のユーザの関係を示す情報とを対応づけて表示するアクセス履歴情報を作成するステップと、第２のユーザの端末からの要求に応じ、作成したアクセス履歴情報を第２のユーザの端末に提供するステップと、を含む。
【００２０】
このアクセス履歴提供方法をコンピュータに実行させるためのプログラムも本発明に含まれる。
【発明の効果】
【００２１】
この発明によると、第１のユーザによるアクセスの履歴および第１のユーザと第２のユーザの関係を示すアクセス履歴情報が第２のユーザの端末に提供される。
【００２２】
第２のユーザは、アクセス履歴情報を参照し、自分のサイトにアクセスしてきたユーザが、自分とどのような関係を持つ者であるかを容易に知ることができる。
【発明を実施するための最良の形態】
【００２３】
＜第１実施形態＞
図１は本発明の好ましい実施形態に係るソーシャルネットワークサービス（ＳＮＳ）システムの概略構成を示す図である。このシステムでは、パソコン、携帯電話、ＰＤＡなどで構成された複数のクライアント２００同士が、インターネットなどのネットワーク５０を経由してＳＮＳサーバ１００にアクセスすると、ＳＮＳサーバ１００の仲介によって相互に情報を交換できる。
【００２４】
ＳＮＳサーバ１００は、データベース５、Ｗｅｂサーバ４、サイト上コンテンツ管理部３、足あと管理部２、アクセス履歴保存部１を備えている。
【００２５】
図２に示すように、データベース５は、ユーザ管理部５ａおよびコミュニティ管理部５ｂを備える。ユーザ管理部５ａは、友達管理テーブル５１、足あと管理テーブル５２、コミュニティ管理テーブル５３、プロフィール管理テーブル５４、日記管理テーブル５５、メッセージ管理テーブル５６、アクセス数管理テーブル５７を備える。コミュニティ管理部５ｂは、メンバー管理テーブル５８とトピック管理テーブル５９を備える。
【００２６】
アクセス履歴保存部１は、メッセージ管理テーブル５６、アクセス数管理テーブル５７の情報の保存・削除・更新を制御する。足あと管理部２は、足あと管理テーブル５２の情報の保存・削除・更新を制御する。サイト上コンテンツ管理部３は、日記管理テーブル５５、友達管理テーブル５１、コミュニティ管理テーブル５３、プロフィール管理テーブル５４の情報の保存・削除・更新を制御する。
【００２７】
図３は足あと管理テーブル５２に蓄積される情報を示す。足あと管理テーブルは、ＳＮＳ上で特定のユーザの管理するサイトにアクセスしてきたユーザのＩＤである「訪問者ユーザＩＤ」，そのユーザと自分の関係を示す「関係」、アクセス者がその特定のユーザのサイトにアクセスするまでに経由したサイト（経由サイト）の全部または一部を示す「アクセス元」、アクセスを開始した時刻である「アクセス日時」などを、アクセスをしてきたユーザごとに管理する。
【００２８】
この図では、ユーザＩＤ「０００１」のユーザが管理するサイトにアクセスしてきた訪問者ユーザＩＤとして、「０００２」、「３２１４」、「３７２１」などが記憶されており、また、ユーザＩＤ「０００２」のユーザはユーザＩＤ「０００１」の「友達」の関係であることなどが記憶されている。
【００２９】
足あと管理部２は、特定のユーザの管理する特定のサイトにアクセスしてきたクライアント２００ｂの過去のアクセス履歴に基づいて、経由サイトを、そのアクセスしてきたユーザ自身の管理するサイトである「ユーザページ」か、ＳＮＳ内で人気のあるサイトをランキング掲示したサイトである「ランキング」か、あるいは上記以外のサイトである「その他」のいずれかに分類し、足あと管理テーブル５２の「アクセス元」項目に経由サイトの分類を格納する。
【００３０】
特定のユーザの管理するサイトにアクセスしてきたユーザが、サイトの管理ユーザと一定の関係（ここでは一例として、友達関係にある、共通の友達を有する、または共通のコミュニティに所属する）にあるか否かは、友達管理テーブル５１、コミュニティ管理テーブル５３およびメンバー管理テーブル５８の情報で規定される。
【００３１】
図４に示すように、友達管理テーブル５１は、特定のユーザに対して友達関係を有する他のユーザのユーザＩＤを記憶する。ここでは、ユーザＩＤが「０００１」のユーザに対するユーザ関係記憶部２３が、友達のユーザＩＤ「０００２」、「０３２４」、「１３０７」を記憶する。友達管理テーブル５１で規定される友達関係は、既存のＳＮＳと同様、ユーザ同士の合意に基づいて任意に設定できる。
【００３２】
図５に示すように、コミュニティ管理テーブル５３は、各ユーザの所属するコミュニティ（特定の関心事や興味についてのユーザ間コミュニケーションを目的としたネットワーク上の仮想空間のこと）を特定するＩＤ（コミュニティＩＤ）を記憶する。ここでは、ユーザＩＤ「０００１」のユーザが、コミュニティＩＤ「００３４９３」、「１２３０９３」などで特定される複数のコミュニティに属していることが規定されている。
【００３３】
各コミュニティに属するユーザは、メンバーと呼ばれる。図６に示すように、メンバー管理テーブル５８は、各コミュニティのメンバーを記憶する。ここでは例えば、コミュニティＩＤ「００３４９３」のコミュニティには、ユーザＩＤ「０００１」、「０００２」などのユーザが所属していることが規定されており、ここから複数のユーザが共通して所属するコミュニティが分かる。
【００３４】
アクセス数管理テーブル５７は、特定のユーザの管理するサイトへのアクセス数を記憶する。ただし、アクセス数も足あと管理テーブル５２で管理してもよい。アクセス数管理テーブル５７のアクセス数は、アクセスがある度に更新される。
【００３５】
メッセージ管理テーブル５６は、サイトに書き込まれたメッセージを保存・管理する。
【００３６】
日記管理テーブル５５は、特定のユーザの管理するサイトにその特定のユーザ自身が書き込んだ日記（一般にウェブログと呼ばれる）を保存・管理する。
【００３７】
トピック管理テーブル５９は、各コミュニティ内での会話のトピックを取り扱う掲示板に、コミュニティのメンバーが入力した情報を格納する。
【００３８】
図７に示すように、プロフィール管理テーブル５４は、各ユーザの識別情報であるユーザＩＤごとに、ユーザ自身を紹介する情報であるプロフィール情報を記憶している。
【００３９】
以下、図８のフローチャートを参照し、ＳＮＳサーバ１００の実行するアクセス履歴提供処理の流れを説明する。
【００４０】
まず、Ｂ１において、あるユーザＢ（不特定のユーザであり、様々変化しうる）の使用するクライアント２００ｂが、ＳＮＳサーバ１００の管理するＷｅｂサーバ４にアクセスしたとする。
【００４１】
Ｓ１では、ＳＮＳサーバ１００は、クライアント２００ｂが任意のコンテンツを取得して閲覧した場合、クライアント２００ｂの取得したコンテンツのＵＲＬのうち最新のものから所定の数（例えば１０個）を、ユーザＢの「アクセス履歴」としてアクセス履歴保存部１に逐次保存する。なお、クライアント２００ｂが検索ページにアクセスし、あるキーワードを入力して検索結果を取得した場合、その検索ページで入力されたキーワードも、検索ページへのアクセス履歴に含めて保存する。
【００４２】
もしユーザＢのクライアント２００ｂが、ＳＮＳサーバ１００の管理するある特定のユーザＡのサイトに、何らかのサイトを経由して、あるいは直接アクセスしたとすると、ＳＮＳサーバ１００はＳ３の処理を行う。
【００４３】
すなわち、Ｓ３では、ＳＮＳサーバ１００は、データベース５にアクセスし、ユーザＡ・ユーザＢのそれぞれの友達管理テーブル５１と、ユーザＡ・ユーザＢのそれぞれのコミュニティ管理テーブル５３を図示しない揮発性メモリなどに展開する。
【００４４】
次に、Ｓ４では、ＳＮＳサーバ１００は、ユーザＡとユーザＢの双方の友達管理テーブル５１およびコミュニティ管理テーブル５３に基づき、両者の関係を特定する。すなわち、ユーザＡとユーザＢの友達管理テーブル５１に記憶されているユーザＩＤ同士をマッチングし、その中で一致するユーザＩＤが存在すれば、少なくとも両者に共通して友達関係を有するユーザが存在することが特定される。かつ、その一致するユーザＩＤがユーザＡのユーザＩＤもしくはユーザＢのユーザＩＤであれば、両者に直接的な友達関係が存在することが特定される。
【００４５】
また、ＳＮＳサーバ１００は、ユーザＡとユーザＢのコミュニティ管理テーブル５３に記憶されているコミュニティＩＤ同士をマッチングし、その中で一致するコミュニティＩＤが存在すれば、両者が共通のコミュニティに所属していることが特定される。
【００４６】
ＳＮＳサーバ１００は、上記のようにして両者の関係を特定した上で、ユーザＡとユーザＢは、一定の関係を有していること、すなわち直接的な友達関係を有するか、共通の友達を有するか、または共通のコミュニティに属しているか否かを判断する。ユーザＡとユーザＢが、一定の関係を有していると判断した場合は、Ｓ５に移行する。ユーザＡとユーザＢが、一定の関係を有していない場合は、Ｓ６に移行する。
【００４７】
Ｓ５では、足あと管理部２は、足あと管理テーブル５２のユーザＡのユーザＩＤに対応する「日時」項目に、ユーザＡのサイトに対するユーザＢのアクセス日時を、「訪問者ＩＤ」項目にユーザＢのＩＤをそれぞれ格納する。これらの情報は、既存のＳＮＳにおける足あと情報ないし履歴情報に相当する。
【００４８】
さらに、足あと管理部２は、ユーザＡのユーザＩＤに対応する「関係」項目に、Ｓ４で特定されたユーザＡとユーザＢの関係を格納する。両者に直接的な友達関係があれば、「友達」が格納され、両者に共通して友達関係を有するユーザが存在すれば、そのユーザＩＤが格納され、共通のコミュニティに属している場合は、そのコミュニティＩＤが格納される。そのコミュニティＩＤに対応するコミュニティ名をコミュニティ管理テーブル５３から特定し、そのコミュニティＩＤとともに、「関係」項目に格納することが好ましい。なお、「アクセス元」項目には、特に情報を格納しなくてもよい。
【００４９】
Ｓ６では、足あと管理部２は、アクセス履歴保存部１が保存しているユーザＢの過去のアクセス履歴を取得し、これに基づいて、ユーザＢがどのようなサイトを経由してユーザＡのサイトへたどり着いたかを、「ユーザページ」、「ランキング」、「その他」に分類する。足あと管理部２は、その経由サイトの分類を、足あと管理テーブル５２のユーザＡのユーザＩＤに対応する「アクセス元」項目に格納する。経由サイトが検索ページであれば、その検索ページでユーザＡのサイトをヒットさせたキーワード（ヒットキーワード）も「アクセス元」項目に格納する。
【００５０】
この後、ＳＮＳサーバ１００は、任意の時点（Ａ１）において、ユーザＡのクライアント２００ａが自分のサイトに対するアクセス履歴を示した足あとページの閲覧を要求してきたと判断した場合（Ｓ８で“Ｙ”）、Ｓ９の処理を行う。
【００５１】
すなわち、Ｓ９では、ユーザＡのクライアント２００ａから送られてきたユーザＡのユーザＩＤに基づいて、足あと管理テーブル５２に格納されている、ユーザＡのユーザＩＤに対応した「日時」・「訪問者ユーザＩＤ」・「関係」・「アクセス元」の各項目をアクセス日時順に記述したＷｅｂページ（足あとページ）に構成した上、この足あとページをクライアント２００ａに送信する。クライアント２００ａは足あとページを受信すると、図示しない液晶モニタなどの表示画面に表示する。
【００５２】
図９は足あとページの一例を示す。このページは、ユーザＡのサイトに対する最新のアクセス１０件の「日時」・「訪問者ユーザＩＤ」・「関係」・「アクセス元」を表示する。
【００５３】
ここで、「訪問者ユーザＩＤ」・「関係」・「アクセス元」をそのまま表示しても分かりにくいため、プロフィール管理テーブル５４に記憶されている訪問者ユーザＩＤに対応したユーザ名Ｎ１を表示するとよい。また、「関係」の分類に対応したアイコンもしくは「アクセス元」に対応したアイコンを表示するとよい。
【００５４】
例えば図９では、「関係」が「友達」であれば「トモダチ」アイコンＩ１を、「所属コミュニティ」が共通すれば「コミュニティ」アイコンＩ２とそのコミュニティ名Ｎ２を表示する。また「アクセス元」が、検索ページであれば「検索」アイコンＩ３が、アクセスランキングページであれば「ランキング」アイコンＩ４が表示される。「検索」アイコンＩ３には、その検索ページで入力されたヒットキーワード（ここでは「クーパー」や「ラーメン」）を付随して表示させる。
【００５５】
図９のような足あとページを閲覧したユーザＡは、自分のサイトにアクセスしてきたユーザが、自分とどのような関係を持っているのかを、「トモダチ」アイコンＩ１、「コミュニティ」アイコンＩ２によって一目瞭然で把握できる。あるいは自分と一定の関係がないユーザであっても、「検索」アイコンＩ３とキーワードによって検索ページでどのようなキーワードが指定されて自分のサイトにたどり着いたのかを一目瞭然で把握できる。あるいは、「ランキング」アイコンＩ４によって、ユーザＢがアクセスランキングページを介して自分のサイトにたどり着いたことを一目瞭然で把握できる。
【００５６】
＜第２実施形態＞
図１０はＳＮＳサーバ１００の実行するアクセス履歴提供処理の他の態様の要部を示す。このＳ２１の処理は、第１実施形態のＳ７およびＳ８の代わりに実行されるか、あるいはＳ７およびＳ８の処理の後に追加的に実行される。
【００５７】
Ｓ２１では、プロフィール管理テーブル５４から、ユーザＢのＩＤに対応するプロフィール情報を取得した上、足あと管理テーブル５２のユーザＡのＩＤに対応する「アクセス元」項目に、ユーザＢのプロフィール情報を格納する。つまり、ユーザＢがユーザＡと一定の関係を有さないと判断された場合（Ｓ６で“Ｎ”）は、「アクセス元」項目に、ユーザＢのプロフィール情報を格納する。
【００５８】
Ｓ２１以外の処理ステップは第１実施形態と同様である。ただし、Ｓ９では、足あと管理テーブル５２に格納されている、ユーザＡのユーザＩＤに対応した「アクセス元」項目に格納されているプロフィール情報を、足あとページの表示情報の一部に構成する。クライアント２００ａはこの足あとページを受信すると、表示画面に表示する。
【００５９】
図１１は、足あとページの一例を示す。このページは、ユーザＡのサイトに対する最新のアクセス１０件の「日時」・「訪問者ユーザＩＤ」・「関係」に加え、ユーザＡと一定の関係を有さないユーザのプロフィール情報Ｐを表示する。
【００６０】
図１１のような足あと情報を閲覧したユーザＡは、自分のサイトにアクセスしてきたユーザが、自分とどのような関係を持っているのかを、「トモダチ」アイコンＩ１、「コミュニティ」アイコンＩ２によって一目瞭然で把握できる。自分のサイトにアクセスしてきたユーザが自分と一定の関係がない見知らぬユーザであっても、プロフィール情報Ｐによってそのユーザがどのような人物であるかをただちに知ることができるし、そのユーザの紹介ページに遷移する必要もない。
【図面の簡単な説明】
【００６１】
【図１】ソーシャルネットワークサービス（ＳＮＳ）システムの概略構成図
【図２】データベースの概念説明図
【図３】足あと管理テーブルの情報の概念説明図
【図４】友達管理テーブルの情報の概念説明図
【図５】コミュニティ管理テーブルの情報の概念説明図
【図６】メンバー管理テーブルの情報の概念説明図
【図７】プロフィール管理テーブルの情報の概念説明図
【図８】第１実施形態に係るアクセス履歴提供処理の流れを示すフローチャート
【図９】第１実施形態に係る足あとページの一例を示す図
【図１０】第２実施形態に係るアクセス履歴提供処理の流れを示すフローチャート
【図１１】第２実施形態に係る足あとページの一例を示す図
【符号の説明】
【００６２】
１：アクセス履歴保存部、２：足あと管理部、３：サイト上コンテンツ管理部、４：Ｗｅｂサーバ、５：データベース、１００：ＳＮＳサーバ、２００：クライアント
【図１】
2007328538.tif 000003
【図２】
2007328538.tif 000004
【図３】
2007328538.tif 000005
【図４】
2007328538.tif 000006
【図５】
2007328538.tif 000007
【図６】
2007328538.tif 000008
【図７】
2007328538.tif 000009
【図８】
2007328538.tif 000010
【図９】
2007328538.tif 000011
【図１０】
2007328538.tif 000012
【図１１】
2007328538.tif 000013